【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
上面部、側面部および底面部からなり、
底面部が、浴槽内で脚部として機能する形状を有し、
上面部、側面部および底面部は中空容器を形成し、
中空容器は、湯水が出入する複数個の出入孔を備える
セラミック製の半身浴用座椅子。
【請求項２】
前記の中空容器は、さらに、前記の複数個の出入孔より広い開口部とその蓋とを備える
請求項１に記載の半身浴用椅子。
【請求項３】
上面部、側面部および底面部からなり、
底面部が、浴槽内で脚部として機能する形状を有し、
上面部、側面部および底面部は中空容器を形成し、
中空容器内に機能性源材料を収納し、
この機能性源材料が、天然放射性元素を含むレア・アース鉱物を含むセラミック加工品、電気石を含むセラミック加工品、および、酸化ゲルマニウムを含むセラミック加工品の中の少なくとも１つ以上であり、
中空容器の少なくとも側面部が、湯水が出入する複数個の出入孔を備える
セラミック製の半身浴用座椅子。
【請求項４】
前記の出入孔が、機能性源材料であるセラミック加工品より小さい寸法である
請求項３に記載の半身浴用椅子。
【請求項５】
前記の機能性源材料が、天然放射性元素を含むレア・アース鉱物を含むセラミック加工品、電気石を含むセラミック加工品、および、酸化ゲルマニウムを含むセラミック加工品の中の少なくとも２つ以上である、請求項３または４に記載の半身浴用椅子。
【請求項６】
前記の側面部および底面部の少なくとも一部は、天然放射性元素を含むレア・アース鉱物、電気石および酸化ゲルマニウムの中の少なくとも１つ以上を含む
請求項１〜５のいずれかに記載の半身浴用座椅子。
【請求項７】
前記の側面部および底面部の少なくとも一部は、天然放射性元素を含むレア・アース鉱物、電気石および酸化ゲルマニウムの中の少なくとも１つ以上を含む釉薬がかけられて焼かれて製造されている
請求項１〜６のいずれかに記載の半身浴用座椅子。
【請求項８】
前記の上面部の少なくとも一部は酸化ゲルマニウムおよび電気石の中の少なくとも１つ以上を含む釉薬がかけられて焼かれて製造されている
請求項１〜７のいずれかに記載の半身浴用座椅子。
【請求項９】
上面部、側面部および底面部からなり、
底面部が、浴槽内で脚部として機能する形状を有し、
上面部、側面部および底面部は中空容器を形成し、
側面部および底面部の少なくとも一部は、天然放射性元素を含むレア・アース鉱物、電気石および酸化ゲルマニウムの中の少なくとも１つ以上を含む
セラミック製の半身浴用座椅子。
【請求項１０】
前記の側面部および底面部の少なくとも一部は、天然放射性元素を含むレア・アース鉱物、電気石および酸化ゲルマニウムの中の少なくとも２つ以上を含む
請求項９に記載の半身浴用座椅子。
【請求項１１】
前記の上面部の少なくとも一部は酸化ゲルマニウムおよび電気石の中の少なくとも１つ以上を含む
請求項９および１０のいずれかに記載の半身浴用座椅子。
【請求項１２】
上面部、側面部および底面部からなり、
底面部が、浴槽内で脚部として機能する形状を有し、
上面部、側面部および底面部は中空容器を形成し、
側面部および底面部の少なくとも一部の表面は、天然放射性元素を含むレア・アース鉱物、電気石および酸化ゲルマニウムの中の少なくとも１以上を含む釉薬がかけられて焼かれて製造されている
セラミック製の半身浴用座椅子。
【請求項１３】
前記の側面部および底面部の少なくとも一部は、天然放射性元素を含むレア・アース鉱物、電気石および酸化ゲルマニウムの中の少なくとも２つ以上を含む釉薬がかけられて焼かれて製造されている
請求項９〜１２のいずれかに記載の半身浴用座椅子。
【請求項１４】
前記の上面部の少なくとも一部は酸化ゲルマニウムおよび電気石の中の１つ以上を含む釉薬がかけられて焼かれて製造されている
請求項９〜１３のいずれかに記載の半身浴用座椅子。
【手続補正２】
【補正対象書類名】明細書
【補正対象項目名】０００３
【補正方法】変更
【補正の内容】
【０００３】
半身浴を行うには、湯中では体重が軽くなり、浮力もあがるため、短時間なら中腰での実施が可能であるが、２０分間となると、どうしても湯中で体を支える椅子、すなわち、腰部を支え、足を伸ばして座れる座椅子が要望されてきた。半身浴用座椅子には、木製のものなどが提案されている（特開平２００３−２８９９８０号公報など）。また、椅子が浴槽内で浮かばないようにするため、たとえば木製、プラスチック製の椅子の一部に、金属、コンクリートなどの比重の多い材料の部品を組み込んだり、充填したりすることが提案されている（特開平２００２−３００９８０号公報、特開平２００２−２２３９７３号公報）。一方、使用しないときには湯の中に浮くようにその浮力が調整されている椅子も提案されている（特開平２００４−１８７７５８号公報）。
【手続補正３】
【補正対象書類名】明細書
【補正対象項目名】０００５
【補正方法】変更
【補正の内容】
【０００５】
また、特開２０００−４２５７３号公報に記載された椅子では、浴湯浄化装置を、半身浴用椅子の下側の空間に取り付けることが提案されている。この浴湯浄化装置では、濾過材料で濾過された湯を、次に、セラミックス、貝化石、麦飯石、ゼオミックス、ラジウム鉱石等の石類を収納した活性化ケース内を通過させて浄化するとともに、浴湯にマグネシウム、亜鉛、カルシウム、ナトリウム等の有効成分を供給し、また、ラジウム鉱石によりラジウム温泉と同様な効果を付与する。しかし、この浴湯浄化装置は、水中ポンプによる強制循環のため浴室外の外部電源から電力を供給することが必要であり、大がかりなものである。簡素な座椅子の構成で健康効果を期待できることが望ましい。
【特許文献１】特開平８−２９９２１５号公報
【特許文献２】特開２０００−０４２５７３号公報
【特許文献３】特開２００２−３００９８０号公報
【特許文献４】特開２００２−２２３９７３号公報
【特許文献５】特開２００３−２８９９８０号公報
【特許文献６】特開２００４−１８７７５８号公報
【手続補正４】
【補正対象書類名】明細書
【補正対象項目名】０００８
【補正方法】変更
【補正の内容】
【０００８】
本発明に係る第１のセラミック製の半身浴用座椅子は、上面部、側面部および底面部からなり、上面部、側面部および底面部は中空容器を形成し、底面部が、浴槽内で脚部として機能する形状を有する。そして、中空容器内に機能性源材料を収納する。この機能性源材料が、天然放射性元素を含むレア・アース鉱物を含むセラミック加工品、電気石を含むセラミック加工品、および、酸化ゲルマニウムを含むセラミック加工品の中の少なくとも１つ（１つ、２つまたは３つ）である。中空容器の少なくとも側面部が、湯水が出入する複数個の出入孔を備える。好ましくは、これらの出入孔が、機能性源材料であるセラミック加工品より小さい寸法である。
【手続補正５】
【補正対象書類名】明細書
【補正対象項目名】０００９
【補正方法】変更
【補正の内容】
【０００９】
本発明に係る第２のセラミック製の半身浴用座椅子は、上面部、側面部および底面部からなり、上面部、側面部および底面部は中空容器を形成する。底面部が、浴槽内で脚部として機能する形状を有する。中空容器は、湯水が出入する複数個の出入孔を備える。好ましくは、中空容器は、前記の複数個の出入孔より広い開口部とその蓋とを備える。
【手続補正６】
【補正対象書類名】明細書
【補正対象項目名】００１０
【補正方法】変更
【補正の内容】
【００１０】
好ましくは、半身浴用座椅子において、前記の側面部および底面部の少なくとも一部は、天然放射性元素を含むレア・アース鉱物、電気石および酸化ゲルマニウムの中の少なくとも１つを、より好ましくは、少なくとも２つ以上を含む。
【手続補正７】
【補正対象書類名】明細書
【補正対象項目名】００１２
【補正方法】変更
【補正の内容】
【００１２】
本発明に係る第３のセラミック製の半身浴用座椅子は、上面部、側面部および底面部からなり、上面部、側面部および底面部は中空容器を形成する。底面部が、浴槽内で脚部として機能する形状を有する。側面部および底面部の少なくとも一部は、天然放射性元素を含むレア・アース鉱物、電気石および酸化ゲルマニウムの中の少なくとも１つを含む。好ましくは、上面部は、電気石および酸化ゲルマニウムの中の少なくとも１つを含んでいてもよい。
【手続補正８】
【補正対象書類名】明細書
【補正対象項目名】００１３
【補正方法】変更
【補正の内容】
【００１３】
本発明に係る第４のセラミック製の半身浴用座椅子は、上面部、側面部および底面部からなり、上面部、側面部および底面部は中空容器を形成する。底面部が、浴槽内で脚部として機能する形状を有する。側面部および底面部の少なくとも一部の表面は、天然放射性元素を含むレア・アース鉱物、電気石および酸化ゲルマニウムの中の少なくとも１つを含む釉薬がかけられて焼かれて製造されている。好ましくは、上面部に、電気石および酸化ゲルマニウムの中の少なくとも１つを含む釉薬がかけられて焼かれて製造されてもよい。
【手続補正９】
【補正対象書類名】明細書
【補正対象項目名】００１４
【補正方法】変更
【補正の内容】
【００１４】
好ましくは、前記の上面部、側面部および底面部は陶磁器製または無機ガラス製である。